(57)【要約】      （修正有）【課題】絵柄の中に魚類や鳥類、昆虫等が動き回る図柄を追加して、前記走馬灯用回転灯の絵柄と、その中に動的な図柄を混ぜて提灯に映し出し、外から見る人に飽きの来ない楽しさを提供する。【解決手段】走馬灯用回転筒５の絵柄の外側に複数の回転板７を回転自由に軸支し、前記回転板の外周に図柄を印刷すると共に係合突起を複数設け、前記回転筒の外周下側に前記係合突起と係合する係合板を固定物に設置し、前記回転灯が電球２の発熱気流で回転するに伴い、前記回転板が水平移動し、前記係合突起の下端が前記係合板に係合して、回転板が回転し、前記回転筒の絵柄の中を回転板の図柄が回転移動して、複合された絵柄と図柄が提灯又はランプシェードの表面に映し出される構造で、回転板の駆動は回転筒の回転力を利用して作動させる。【選択図】図１
2014032866.tif 000002
【特許請求の範囲】
【請求項１】
固定された電球と前記電球上部に取付けた支持軸の上で回転する熱風車と前記熱風車の外周に垂れ下がる回転筒と、前記回転筒の外周に固定された提灯又はランプシェードで構成される走馬灯において、
前記回転筒の外周に複数の回転板を回転自由に軸支し、前記回転板の外周に複数の係合突起を設け、前記係合突起と係合する係合板を前記回転筒の外周直下に固定物から突出させ、前記回転筒の回転に伴って、前記回転板が水平移動し、前記係合突起が前記係合板と係合することにより前記回転板が一定角度回転するようにし、前記回転筒に表現した絵柄と前記回転板に表現した図柄が重なって提灯又はランプシェードの側面に映し出される様にしたことを特徴とする回転走馬灯構造。
【請求項２】
前記請求項１に記載の回転走馬灯構造において、
前記回転板は、前記回転筒の上下長さの略中央で、外周の９０〜１８０度ピッチで複数の回転板を回転自在に軸支し、前記回転板の外周に３０度〜９０度度ピッチで一定長さの複数の係合突起を設け、前記係合突起と係合する１個以上の係合板を前記回転筒の外周直下に前記係合突起板の厚方向と直角に固定物から突出させ、前記回転筒の回転に伴って、前記回転板が水平移動し、前記係合突起が前記係合板と係合することにより、前記回転板が回転するようにしたことを特徴とする回転走馬灯構造。
【請求項３】
前記請求項１又は2のいずれか１つに記載の回転走馬灯構造において、
前記回転筒の絵柄は草木、水草、山河、流雲等の静止背景画を用い、前記回転板の図柄は昆虫類、魚類、鳥類等の動物の動的図柄を用い、前記回転筒に表現した絵柄と前記回転板に表現した図柄が重なって提灯又はランプシェードの側面に映し出される様にしたことを特徴とする回転走馬灯構造。
【請求項４】
前記請求項１から３のいずれか１つに記載の回転走馬灯構造において、
前記回転筒と前記回転板の材質は透光性樹脂板材を用い、前記回転筒と前記回転板の間にスペーサを介して回転自在に軸支したことを特徴とする回転走馬灯構造。
【発明の詳細な説明】
【技術分野】
【０００１】
この発明は、従来の走馬灯の絵柄が水平方向のみに進むのに加えて、その絵柄の中に魚類、鳥類、昆虫類等の図柄が動的にコマ送りで移動し、前記絵柄と図柄の組合せで二次元的な画像を提灯に映し出す回転走馬灯に関するものある。  
【背景技術】
【０００２】
下記文献に示す従来の「照明装置」は、走馬灯にマイナスイオン発生器を組込んだ装置で、電球の上に支持軸を設け、走馬灯用回転灯を回転自由に軸支し、電球の発熱気流で走馬灯用回転灯を回転させると共にマイナスイオンを放出させるものであるが、前記走馬灯用回転灯の外周に表現される絵柄は一定で、見る人の目に同じ絵柄を何回も見せられ飽きてしまいます。本案は前記絵柄の中に魚類や鳥類、昆虫等が動き回る図柄を追加して、前記走馬灯用回転灯の絵柄と、その中に動的な図柄を混ぜて提灯に映し出し、外から見る人に飽きの来ない楽しさを提供するものです。
【先行技術文献】
【特許文献】
【０００３】
【特許文献１】実用新案登録第３０８９８６３号
【発明の概要】
【０００４】
本発明は上記事情に鑑みてなされたもので、走馬灯用回転筒の絵柄の外側に複数の回転板を回転自由に軸支し、前記回転板の外周に図柄を表現すると共に、係合突起を複数設け、前記回転筒の外周直下に前記係合突起と係合する係合板を固定物から突設し、前記回転灯が電球の発熱気流で回転するに伴い、前記回転板が水平移動し、前記係合突起の下端が前記係合板に係合して、回転板が回転し、前記回転筒の絵柄の中を回転板の図柄が回転移動して、複合された絵柄と図柄が提灯又はランプシェード表面に映し出される構造です。
【発明が解決しようとする課題】
【０００５】
（１）回転筒の回転力を利用して回転板を水平移動すると共に適時回転させる。
（２）回転板の回転タイミングは、回転板の外周に設けた係合突起の数と固定物に設けた係合板との係合角度タイミングで決める。
（３）回転筒と回転板を透明部材で構成し、両者の絵柄と図柄を調和させる。
【課題を解決するための手段】
【０００６】
（１）複数の回転板は、回転筒の外周に回転自由に軸支し、回転筒と共に移動する。
（２）回転板の回転角度タイミングは目安として、回転筒の回転角９０度毎に回転板を一定角度回転させることが好ましい。
（３）回転筒の絵柄は水草、草木、山河、流雲等の固定背景とし、回転板の図柄は鳥類、昆虫類、魚類等の動的物体として、楽しく、美しい構図の組合せとする。
【発明の効果】
【０００７】
従来品に比べ、下記の点が大幅に改善される。
（１）回転板の回転動力は回転筒の回転力を利用しており、構造簡単で安価。
（２）回転板の回転タイミングは回転筒の回転に調和した流れで回転させる。
（３）提灯表面に映し出される絵柄と図柄は動的で、見る人に楽しく、美しく飽きない。
【図面の簡単な説明】
【０００８】
【図１】本案の側面断面図(図２のA-A’断面)
【図２】本案の上視図(10取手を除く)
【図３】回転板の係合突起と係合板の作動説明図
【発明を実施するための形態】
【０００９】
以下に、図１から図3を参照して本案の構造と作動を説明する。
図１は、１は回転走馬灯の全体側面図で、11提灯台に固定された12電球ソケットに取付けた２電球の上から針金で加工した3支持軸を取付け、その先端は尖った針状とし、その上に電球の熱気流を上に逃がす傾斜フインを付けた4熱風車を回転自在に軸支し、その外周に透光性樹脂フィルムで作られた5回転筒を取付け、その上下長さ方向の略中央で12電球ソケットの上面付近の外周に8スペーサを介して7回転板を16回転軸で回転自在に取付ける。尚、８スペーサの目的は５回転筒と７回転板の摩擦抵抗を少なくすることと、摩擦によるフィルムへの傷付き防止である。7回転板は図2の事例では5回転筒の外周に90度ピッチで4個取付けているが、2〜3個にしても良い。5回転板の外周には図3に示す様に7a係合突起がピッチ角度P=45度で8個設けた事例を示している。7a係合突起の形状は三角形とすることが好ましい。16回転軸の直下には、13係合板が11提灯台から前記7a係合突起の長さと重なる長さで、7回転板の板厚方向と直角に一定幅で起立しており、5回転筒の回転で、7回転板は→Y方向に水平移動し、7a係合突起が13係合板と接触すると7回転板の水平移動が止まり、16回転軸を中心に→Rの方向に回転し、角度θ分移動する。しかし、現実には、7回転板の回転抵抗はゼロに近いので、回転慣性でθより大きくなる。また、θの大きさは7a係合突起の設置位置半径が小さい程大きくなり、7a係合突起と13係合板の重なり長さが大きいほど大きくなる。つまり、7回転版の回転角度θの設計は前記関係から任意に選択できる。
また、７a係合突起の数は４〜１２個とすることが好ましい。尚、5回転筒と７回転板の材質は５回転筒と同様に透光性樹脂フィルムにすることが好ましい。
次に、6提灯の取付けは、図1及び2から見られる様に、11提灯台に固定した2本の9提灯支柱の上端に10取手が取り付けられ6提灯の上端に取付けた6a提灯上枠が10b紐により10取手に掛けられ、6b提灯下枠は11提灯台の外周に圧入して固定されている。
6提灯は従来から用いられる竹ヒゴと紙の貼り合わせが一般的であるが、プラスチックの成形品又はガラス製のランプシェードを用いても良い。
次に、色彩デザインの一例を示すと、6提灯は雰囲気全体を強調する淡い色彩が好ましい。5回転筒の外周で2電球に直接照らされる上部に草木、水草、山河、流雲等の背景的静止絵柄が好ましい。7回転板の外周で前記の回転角θに合わせたピッチで昆虫類、魚類、鳥類等の動的図柄を前記5回転筒の絵柄と相性を考えた図柄を7回転板の回転に伴ってコマ送り画の様に動きの変化を示す
図柄を表現したい。
図3はその絵柄と図柄の組合せ事例を示したもので、5回転筒の絵柄は点線で示した水草を表し、7回転板には実線で示す小魚が餌を追って１個づつ食べてゆく変化を示した事例です。
この様にすれば、提灯の側面は淡い水中の濃淡を表現する色彩とし、５回転筒の水草が涼しげに流れる絵柄を表現し、その水草に見え隠れする小魚が餌を追って動き回る動的な表現を示すことで、見る人に美しさと可愛さ、面白さを飽きることなく見られる癒し系の気分を提供できます。
【００１０】
以上の構造説明から、作動と取扱い方法を説明に移る。
作動説明として、図１の２電球は発熱気流を発生させるため従来のニクロム線白熱電球で４０〜８０ワット程度が好ましい。 電源コード及びスイッチは図示していないが、11提灯台に取付け、コードは内部に格納しても良い。
４熱風車は公知の形状で、回転軸受から放射状に複数スリットを設け、スリットの部材を上側に約４５度に折り曲げたもので、アルミ板等の耐熱性ある軽い材質が好ましい。6提灯は前記した様にプラスチックやガラスで作成したランプシェードを用いても良い。
取扱い方法は、１１提灯台、６提灯、９提灯支柱、10取手、４熱風車、３支持軸、２電球、５回転筒等は分解して収納可能で、分解・組立は簡単で、子供でも容易に組み立てられ、１００ボルト電源が有れば作動可能である。
【産業上の利用可能性】
【００１１】
以上説明したように、分解・組立容易で、６提灯に限らず、プラスチックやガラスで作成した、見た目に綺麗な装飾ランプシェードにすれば、お盆の走馬灯のイメージを応接間やパーティ会場の華やかな装飾照明器具として用いても良く、しかも、走馬灯の絵柄が時々動いて、見ていても飽きない、美しさに癒される装飾器具として広く活用分野が考えられる。
【符号の説明】
【００１２】
１回転走馬灯、２電球、３支持軸、４熱風車、５回転筒、６提灯、６a提灯上枠、６b提灯下枠、７回転板、７a係合突起、８スペーサ、９提灯支柱、１０取手、１０aふさ、１０b紐、  １１提灯台、１２電球ソケット、１３係合板、１４回転筒絵柄、１５回転板図柄、１６回転軸、→Y回転板の進行方向、→R回転板の回転方向、
【図１】
2014032866.tif 000003
【図２】
2014032866.tif 000004
【図３】
2014032866.tif 000005
【手続補正書】
【提出日】平成24年10月12日(2012.10.12)
【手続補正１】
【補正対象書類名】特許請求の範囲
【補正対象項目名】請求項２
【補正方法】変更
【補正の内容】
【請求項２】
前記請求項１に記載の回転走馬灯構造において、
前記回転板は、前記回転筒の上下長さの略中央で、外周の９０〜１８０度ピッチで複数の回転板を回転自在に軸支し、前記回転板の外周に３０度〜９０度度ピッチで一定長さの複数の係合突起を設け、前記係合突起と係合する１個以上の係合板を、前記回転筒の外周直下に前記回転板の板厚方向と直角に固定物から突出させ、前記回転筒の回転に伴って、前記回転板が水平移動し、前記係合突起が前記係合板と係合することにより、前記回転板が回転するようにしたことを特徴とする回転走馬灯構造。